(57)【要約】【課題】  デカルの存在を適切に通知することのできる電子装置、情報提供方法、情報提供プログラム及び記録媒体の提供を目的とする。【解決手段】  所定の箇所にデカルが付された電子装置であって、当該電子装置において発生する所定の事象に関連する箇所に対するユーザによる操作を検知する操作検知手段と前記操作検知手段によって操作が検知された箇所に対応する前記デカルに関する情報を検索する検索手段と、前記検索手段によって検索された前記デカルに関する情報を表示させる表示手段とを有することにより上記課題を解決する。【選択図】  図３
2006091686.tif 000002
【特許請求の範囲】
【請求項１】
所定の箇所にデカルが付された電子装置であって、
当該電子装置において発生する所定の事象に関連する箇所に対するユーザによる操作を検知する操作検知手段と
前記操作検知手段によって操作が検知された箇所に対応する前記デカルに関する情報を検索する検索手段と、
前記検索手段によって検索された前記デカルに関する情報を表示させる表示手段とを有することを特徴とする電子装置。
【請求項２】
前記操作検知手段は、前記所定の事象に関連するユニットの移動を検知することにより該所定の事象に関連する箇所に対するユーザによる操作を検知する第一の検知手段を含むことを特徴とする請求項１記載の電子装置。
【請求項３】
前記操作検知手段は、前記所定の事象に関連する箇所におけるデカルに対する人体の近接又は接触を検知することにより該所定の事象に関連する箇所に対するユーザによる操作を検知する第二の検知手段を含むことを特徴とする請求項１又は２記載の電子装置。
【請求項４】
前記第二の検知手段による前記所定の事象に関連する箇所におけるデカルに対する人体の近接又は接触に応じて警告音を出力する警告音出力手段を更に有することを特徴とする請求項３記載の電子装置。
【請求項５】
前記デカルに関する情報は、当該デカルに記載されている内容を含むことを特徴とする請求項１乃至４いずれか一項記載の電子装置。
【請求項６】
前記デカルに関する情報は、当該デカルの存在を示す情報であることを特徴とする請求項１乃至４いずれか一項記載の電子装置。
【請求項７】
所定の箇所にデカルが付された電子装置であって、
ユーザによる処置が必要とされる所定の事象の発生を検知する事象検知手段と、
前記事象検知手段による前記所定の事象の発生の検知に応じて該所定の事象に関連するデカル情報を検索する検索手段と、
前記検索手段によって検索された前記デカル情報を表示させる表示手段とを有することを特徴とする電子装置。
【請求項８】
前記所定の事象に関連する箇所に対するユーザによる操作を検知する操作検知手段と、
前記操作検知手段による前記ユーザによる操作の検知に応じて警告音を出力する警告音出力手段とを更に有することを特徴とする請求項７記載の電子装置。
【請求項９】
前記デカルに関する情報は、当該デカルに記載されている内容を含むことを特徴とする請求項７又は８記載の電子装置。
【請求項１０】
前記デカルに関する情報は、当該デカルの存在を示す情報であることを特徴とする請求項７又は８記載の電子装置。
【請求項１１】
所定の箇所にデカルが付された電子装置であって、
当該電子装置において発生する所定の事象に関連する箇所におけるデカルに対する人体の近接又は接触を検知するする検知手段と
前記検知手段による前記デカルに対する人体の近接又は接触の検知に応じて警告音を出力する警告音出力手段とを有することを特徴とする電子装置。
【請求項１２】
所定の箇所にデカルが付された電子装置における情報提供方法であって、
当該電子装置において発生する所定の事象に関連する箇所に対するユーザによる操作を検知する操作検知手順と
前記操作検知手順において操作が検知された箇所に対応する前記デカルに関する情報を検索する検索手順と、
前記検索手順において検索された前記デカルに関する情報を表示させる表示手順とを有することを特徴とする情報提供方法。
【請求項１３】
所定の箇所にデカルが付された電子装置における情報提供方法であって、
ユーザによる処置が必要とされる所定の事象の発生を検知する事象検知手順と、
前記事象検知手順における前記所定の事象の発生の検知に応じて該所定の事象に関連するデカル情報を検索する検索手順と、
前記検索手順において検索された前記デカル情報を表示させる表示手順とを有することを特徴とする情報提供方法。
【請求項１４】
所定の箇所にデカルが付された電子装置に、
当該電子装置において発生する所定の事象に関連する箇所に対するユーザによる操作を検知する操作検知手順と
前記操作検知手順において操作が検知された箇所に対応する前記デカルに関する情報を検索する検索手順と、
前記検索手順において検索された前記デカルに関する情報を表示させる表示手順とを実行させるための情報提供プログラム。
【請求項１５】
請求項１４記載の情報提供プログラムを記録したコンピュータ読み取り可能な記録媒体。
【請求項１６】
所定の箇所にデカルが付された電子装置に、
ユーザによる処置が必要とされる所定の事象の発生を検知する事象検知手順と、
前記事象検知手順における前記所定の事象の発生の検知に応じて該所定の事象に関連するデカル情報を検索する検索手順と、
前記検索手順において検索された前記デカル情報を表示させる表示手順とを実行させるための情報提供プログラム。
【請求項１７】
請求項１６記載の情報提供プログラムを記録したコンピュータ読み取り可能な記録媒体。
【発明の詳細な説明】
【技術分野】
【０００１】
本発明は、電子装置、情報提供方法、情報提供プログラム及び記録媒体に関し、特に所定の箇所にデカルが付された電子装置、情報提供方法、情報提供プログラム及び記録媒体に関する。
【背景技術】
【０００２】
複写機やプリンタ装置等の画像形成装置には、ユーザマニュアルの他に操作の補助や注意を促すために、機器本体に表示ラベル（以下、「デカル」という。）が貼り付けられている。デカルの貼り付け位置は、そのデカルに記載された操作対象の近傍であるのが効果的であるところ、省スペース化のために機器サイズが小さくなるにつれて、機器の側面にジャム除去用のドア、定着装置引き出し用のドア等が設けられるようになり、左右のドアの内部にその操作補助や対象ユニットに関する注意事項が記載されたデカルが貼り付けられるようになっている。
【０００３】
しかし、機器の側面のドアの内部、又は内部ユニットに貼り付けられたデカルについては、機器の正面に立って操作するユーザにとって非常に見にくいという問題がある。特に、機器の右側あるいは左側に別の機器や棚等が配置されている場合は、ユーザは、機器の右側や左側に対して体を正対させることができないため、覗き込むような格好でデカルを読まざるを得ない。
【０００４】
そこで、デカルの見にくさを回避すべく、例えば、プラスチックなど樹脂材のリサイクルを目的にして、デカルをはがしやすい構成としている機器もある（例えば、特許文献１）。また、デカルに印刷された情報を画像形成装置内で記憶しておき、操作パネル上での操作によって、その詳細情報を表示させたり、あるいはハードコピーさせたりすることが可能な機器もある（例えば、特許文献２）。
【特許文献１】特開平７−７２６９２号公報
【特許文献２】特開２００３−２５５７７２号公報
【発明の開示】
【発明が解決しようとする課題】
【０００５】
しかしながら、特許文献１及び２に記載された機器によれば、いずれもユーザがデカルの存在を認識していなければ効果を得ることはできないところ、機器の側面に貼り付けられたデカルについては、ユーザはそもそもその存在自体に気付かず、デカルの存在意義が希薄になってしまうという問題がある。
【０００６】
本発明は、上記の点に鑑みてなされたものであって、デカルの存在を適切に通知することのできる電子装置、情報提供方法、情報提供プログラム及び記録媒体の提供を目的とする。
【課題を解決するための手段】
【０００７】
そこで上記課題を解決するため、本発明は、請求項１に記載されるように、所定の箇所にデカルが付された電子装置であって、当該電子装置において発生する所定の事象に関連する箇所に対するユーザによる操作を検知する操作検知手段と前記操作検知手段によって操作が検知された箇所に対応する前記デカルに関する情報を検索する検索手段と、前記検索手段によって検索された前記デカルに関する情報を表示させる表示手段とを有することを特徴とする。
【０００８】
また、上記課題を解決するため、本発明は、請求項７に記載されるように、所定の箇所にデカルが付された電子装置であって、ユーザによる処置が必要とされる所定の事象の発生を検知する事象検知手段と、前記事象検知手段による前記所定の事象の発生の検知に応じて該所定の事象に関連するデカル情報を検索する検索手段と、前記検索手段によって検索された前記デカル情報を表示させる表示手段とを有することを特徴とする。
【０００９】
このような電子装置では、ユーザによる処置手順の実施や所定の事象が発生した際に、ユーザに対してデカルの存在を通知することができる。
【００１０】
また、上記課題を解決するため、本発明は、上記電子装置における情報提供方法、前記情報提供方法を前記電子装置に実行させるための情報提供プログラム、又は前記情報提供プログラムを記録した記録媒体としてもよい。
【発明の効果】
【００１１】
本発明によれば、電子装置において発生する所定の事象に関連するユーザによる操作を検知し、操作が検知された箇所に対応する前記デカルに関する情報を検索し、検索された前記デカルに関する情報を表示させるので、デカルの存在を適切に通知することができる。
【発明を実施するための最良の形態】
【００１２】
以下、図面に基づいて本発明の実施の形態を説明する。本実施の形態においてはプリンタ、複写機等の画像形成装置を電子装置の具体例として説明する。図１は、本発明の実施の形態における画像形成装置の概略図である。図１に示されるように、画像形成装置１０は、操作部１２、定着ユニット１３、本体左上カバー１４、両面反転ユニット１５及び前ドア１６等を有している。
【００１３】
操作部１２は、画像形成装置１０に対する各種の指示を入力させるための操作用入力キーや、ユーザに対する情報を表示させるための液晶ディスプレイ（ＬＣＤ）１２６等が備えられた部分である。定着ユニット１３は、記録用紙にトナーを定着させるためのユニットである。本体左上カバー１４は、定着ユニット１３に対するカバーである。
【００１４】
画像形成装置１０の所定の箇所には一般的な機器と同様にデカルが貼り付けられている。例えば、定着ユニット１３の正面にはデカル２０ａ、２０ｂ及び２０ｃ等が貼り付けられている。デカルとは、一般に、消耗部品の交換、消耗品の補充、故障部分の修理、記録用紙のジャム等の除去、部品の清掃等のメンテナンス作業等においてユーザが操作する箇所に、その操作に関する各種情報（例えば、操作手順、操作説明、警告、注意、電子装置内の部品（装置部分）の配置、電子装置の商品名、電子装置の機種番号、定格電圧、定格電流、及びサービス従業者への連絡先等）が印刷された、ラベル又はシール等とも呼ばれるシート状部材である。
【００１５】
図２は、定着ユニットに貼り付けられているデカルの例を示す図である。図２に示されるように定着ユニット１３の正面に貼り付けられているデカル２０ａ、２０ｂ及び２０ｃ(以下、総称する場合「デカル２０」という。)は、「高温注意」の他、「高温です。定着ユニットの交換・用紙詰まり処理は主電源を切ってからしばらくお待ち下さい。」との注意事項が仕向地言語で記載されている。
【００１６】
図３は、本発明の実施の形態における画像形成装置の制御系ブロック図である。図３に示されるように、画像形成装置１０は、制御部１１においてＣＰＵ１１１、ＲＯＭ１１２及びＲＡＭ１１３等を有し、操作部１２においてＣＰＵ１２１、ＲＯＭ１２２、ＲＡＭ１２３、ＬＣＤコントローラ１２４、ビデオメモリ１２５、ＬＣＤ１２６及びブザー１２７等を有している。更に、画像形成装置１０の所定の箇所には開閉センサ１５１、排紙センサ１５２、及び人体検知センサ１５３等が設置されている。
【００１７】
制御部１１におけるＣＰＵ１１１は、ＲＯＭ１１２に格納されたプログラムを処理することにより画像形成装置１０全体を制御する。ＲＡＭ１１３は、ＣＰＵ１１１による処理において一時的なデータの保管場所等として利用される。
【００１８】
操作部１２におけるＣＰＵ１２１は、ＲＯＭ１２２に格納されたプログラムを処理することにより画像形成装置１０の状態表示やユーザからの指示入力の検知等を実行する。ＲＯＭ１２２には、ＣＰＵ１２１によって処理されるプログラムの他、画像形成装置１０に貼り付けられた各種デカルに記載された内容を含む情報等（以下「デカル情報」という。）が格納されている。ＲＡＭ１２３は、ＣＰＵ１２１の処理上の一時的データ保管に用いられる。ＬＣＤコントローラ１２４は、ＣＰＵ１２１を介してＲＯＭ１２２から表示用データ（フォント・ビットマップ等）を受け取り、その表示用データをビデオメモリ１２５に展開して、ＬＣＤ１２６に表示させる表示データを生成する。ブザー１２７は、いわゆるブザーであり、画像形成装置１０のレディー通知時やエラー通知時等において、ＣＰＵ１２１による制御によって警告音を出力する。
【００１９】
なお、制御部１１のＣＰＵ１１１と操作部１２のＣＰＵ１２１とはシリアル通信を行っており、ＣＰＵ１１１の指示に基づいてその時々に必要な表示データがＬＣＤコントローラ１２４で生成され、ＬＣＤ１２６に表示される。
【００２０】
開閉センサ１５１は、画像形成装置１０の本体左上カバー１４の引き出し状態を検知し、その旨をＣＰＵ１１１に通知するセンサである。排紙センサ１５２は、画像形成装置１０から用紙が排出されたことを検知し、その旨をＣＰＵ１１１に通知するセンサである。排紙センサ１５２は、定着ユニット１３の後段の用紙パス上に設置されており、用紙があるとＯＮ状態、用紙が無いとＯＦＦ状態となるように設計されている。ＣＰＵ１１１は、排紙センサ１５２のＯＮ／ＯＦＦ状態を検知し、給紙された用紙が用紙詰まりなく確実に排出されることを確認している。人体検知センサ１５３は、ユーザの手等、人体の近接又は接触を検知し、その旨をＣＰＵ１１１に通知するセンサである。人体検知センサ１５３は、人体が近づいた場合にＯＮ状態になるように設計されており、定着ユニット１３の正面に貼り付けられたデカル２０等、画像形成装置１０の各箇所のデカルの近辺に設置されている。したがって、ＣＰＵ１１１は、人体検知センサ１５３によって各デカルへの人体の近接又は接触を検知することができる。
【００２１】
本実施の形態では、ユーザによる処置が必要とされる所定の事象として用紙詰まりが発生した場合を例として説明する。定着ユニット１３において用紙詰まりが発生した場合には、操作部ＬＣＤ１２６に用紙詰まり箇所が表示される。前ドア１６の内部には集合デカルが設けられており、定着ユニット１３における紙詰まりに対する処置手順が表示されている。
【００２２】
図４は、定着ユニットにおける用紙詰まりに対する処置手順が記されたデカルの例を示す図である。図４のデカル２１には、定着ユニット１３において用紙詰まりが発生した際の処置手順が以下のように示されている。
【００２３】
両面反転ユニット１５を開ける（ステップＳ１）。「Ｂ１」の取っ手を持ち、本体左上カバー１４をゆっくり引き出す(ステップＳ２)。「Ｂ２」の取っ手を持ち、本体左上カバー１４を開ける（ステップＳ３）。「Ｂ３」のノブを回し、用紙を取り除く（ステップＳ４）。
【００２４】
このように、用紙詰まりの際には定着ユニット１３の周辺を操作する必要があるところ、定着ユニット１３の正面には、「高温注意」のデカル２０が貼り付けられている。しかしながら、定着ユニット１３の正面は、画像形成装置１０本体から見て左側面となっている。すなわち、ユーザが画像形成装置１０の左側面に移動して定着ユニット１３を正面から見た場合は、デカル２０は目立つ位置に貼り付けられているが、画像形成装置１０本体の正面に立って定着ユニット１３における用紙詰まりに対する処置手順を行った場合は、デカル２０はユーザから見にくい位置関係となっている。そこで、かかる問題を解決した例を以下において説明する。
【００２５】
図５は、第一の実施の形態における画像形成装置の処理手順を説明するためのフローチャートである。
【００２６】
規定タイミングにおいて排紙センサ１５２がＯＮ状態を維持し続けた場合、ＣＰＵ１１１は定着ユニット１３における用紙詰まりであると判断し、定着ユニット１３への電力供給を遮断した上で、操作部１２のＣＰＵ１２１に「定着ユニット１３における用紙詰まり」を通知する（Ｓ１１）。ＣＰＵ１２１は、ＬＣＤコントローラ１２４によって定着ユニット１３における用紙詰まり状態を通知する画面（用紙詰まり通知画面）を生成し、生成された用紙詰まり通知画面をＬＣＤ１２６に表示させる（Ｓ１２）。
【００２７】
ユーザは、ＬＣＤ１２６に表示された用紙詰まり通知画面により定着ユニット１３における用紙詰まりを知ると、前ドア１６内部のデカル２１やユーザマニュアル等を参照し、定着ユニット１３における紙詰まりに対する処置手順（図４）を実施する。
【００２８】
ユーザによる処置手順の実施により、例えば、関連するユニットの移動や関連する箇所に貼り付けられているデカルへのユーザの手等の近接又は接触等が、開閉センサ１５１又は人体検知センサ１５３等によって検知され、その旨がＣＰＵ１１１に通知される（Ｓ１３）。ＣＰＵ１１１が、定着ユニット１３のデカル２０の表示をＣＰＵ１２１に指示すると、ＣＰＵ１２１は、デカル２０に対応するデカル情報をＲＯＭ１２２より検索する（Ｓ１４）。ＣＰＵ１２１は、更に、検索されたデカル情報等を用いてＬＣＤコントローラ１２４によってデカル表示画面を生成し、生成されたデカル表示画面をＬＣＤ１２６に表示させる（Ｓ１５）。デカル表示画面には、少なくともデカル２０に記載されている内容が表示されている。
【００２９】
続いて、ステップＳ１３における処置手順の実施の検知について説明する。上述したように、ユーザによる処置手順は、開閉センサ１５１又は人体検知センサ１５３等によって検知されるが、まず、開閉センサ１５１によって検知される場合について説明する。処置手順としてユーザによって本体左上カバー１４が引き出されると（ユニットの移動）、本体左上カバー１４の引き出し状態を検知する開閉センサ１５１がＯＮ状態となる。ＣＰＵ１１１は、開閉センサ１５１がＯＮ状態となったことを検知すると、ＣＰＵ１２１に「本体左上カバー１４の引き出し状態」を通知する。ＣＰＵ１２１は、ＬＣＤコントローラ１２４によって本体左上カバー１４の引き出し状態を通知する画面を生成してＬＣＤ１２６に表させる。所定時間経過後、ＣＰＵ１１１は、定着ユニット１３のデカル２０の表示をＣＰＵ１２１に指示し、ステップＳ１４の処理が実施される。
【００３０】
更に、人体検知センサ１５３によって検知される場合について説明する。処置手順の実施により、ユーザの手等が定着ユニット１３におけるデカル２０に近接又は接触すると、人体検知センサ１５３がＯＮ状態となる。ＣＰＵ１１１は、人体検知センサ１５３がＯＮ状態となったことを検知することにより、人体の定着ユニット１３への近接又は接触等、すなわち、処置手順の実施を検知することができるというわけである。
【００３１】
上述したように、第一の実施の形態における画像形成装置１０によれば、処置手順の実施に際し、対象ユニットに対する操作や、デカルへのユーザの手等の近接等に応じて、デカルに記載された操作補助事項や注意事項等をＬＣＤ１２６等の表示装置に表示させることができるので、ユーザが、上記デカルの存在に気付かずに操作を行ったために陥る不具合を防止することが可能である。
【００３２】
例えば、画像形成装置１０は、定着ユニット１３における用紙詰まりの事例に対して、用紙詰まりに対する処置手順の実施をきっかけとして、デカル２０に記載されている内容をＬＣＤ１２６に表示させるので、ユーザが「高温注意」のデカルの存在に気づかずに定着ユニット１３における紙詰まりに対する処置を実施して、不用意に高温部である定着ユニット１３に触れてしまう危険を回避することが可能である。
【００３３】
特に、対象となるデカルが機器の側面等、ユーザにとって見にくい箇所に貼り付けられている場合において、本発明の効果は顕著に得られる。
【００３４】
なお、左右のドア等の開閉検知手段が既に存在する場合は、改めて開閉センサ１５１を設ける必要はなく、安価に機能を実現することが可能である。
【００３５】
なお、ステップＳ１５において、処置手順において対象となっているデカル（デカル２０）に記載されている内容ではなく、単に「デカルが存在します。」といった文字列を表示させるようにしてもよい。すなわち、ユーザは、かかる表示によってデカル２０等の存在を認識することができ、当該デカルを参照することで操作ミスを回避することができるというわけである。かかる構成によれば、デカル情報をデカルごとにＲＯＭ１２２に保持する必要はなく、メモリ消費量の削減を図ることができる。
【００３６】
次に、第二の実施の形態として、デカル情報の表示のタイミングを所定の事象が発生した際とした例について説明する。図６は、第二の実施の形態における画像形成装置の処理手順を説明するためのフローチャートである。
【００３７】
規定タイミングにおいて排紙センサ１５２がＯＮ状態を維持し続けた場合、ＣＰＵ１１１は定着ユニット１３における用紙詰まりであると判断し、定着ユニット１３への電力供給を遮断した上で、操作部１２のＣＰＵ１２１に「定着ユニット１３における用紙詰まり」を通知する（Ｓ２１）。ＣＰＵ１２１は、ＬＣＤコントローラ１２４によって定着ユニット１３における用紙詰まり状態を通知する画面（用紙詰まり通知画面）を生成し、生成された用紙詰まり通知画面をＬＣＤ１２６に表示させる（Ｓ２２）。
【００３８】
所定時間経過後、ＣＰＵ１１１が、定着ユニット１３のデカル２０の表示をＣＰＵ１２１に指示すると、ＣＰＵ１２１は、デカル２０に対応するデカル情報をＲＯＭ１２２より検索する（Ｓ１４）。ＣＰＵ１２１は、更に、検索されたデカル情報等を用いてＬＣＤコントローラ１２４によってデカル表示画面を生成し、生成されたデカル表示画面をＬＣＤ１２６に表示させる。デカル表示画面には、少なくともデカル２０に記載されている内容が表示されている。
【００３９】
なお、ステップＳ２４において、対象となっているデカル（デカル２０）に記載されている内容ではなく、単に「デカルが存在します。」といった文字列を表示させるようにしても良いのは、第一の実施の形態と同様である。
【００４０】
上述したように、第二の実施の形態における画像形成装置１０によれば、用紙詰まり等、ユーザによる処置が必要とされる所定の事象が発生した時点で関連するデカルに記載された操作補助事項や注意事項等をＬＣＤ１２６等の表示装置に表示させることができるので、ユーザが、デカルの存在に気付かずに操作をしたために陥る不具合を防止することが可能である。更に、ユーザがデカルに記載した注意事項を怠った場合に遭遇する不具合を所定の事象が発生した時点であらかじめ報知することで、不具合からの回避に対する確実性を増すことが可能である。
【００４１】
例えば、定着ユニット１３における用紙詰まりの事例に対して、デカル情報の表示のきっかけを定着ユニット１３における用紙詰まりに対する処置手順ではなく、定着ユニット１３における用紙詰まりの発生そのものとしているので、定着ユニット１３における用紙詰まりの発生と同時に、ＬＣＤ１２６に「高温注意」のデカルに記載している内容を表示することができ、ユーザが「高温注意」のデカルの存在に気づかずに定着ユニット１３における紙詰まりに対する処置を実施して、不用意に高温部である定着ユニット１３に触れてしまう危険からの回避に対する確実性を増すことが可能である。
【００４２】
次に、第三の実施の形態として、警告音によってデカルの存在を通知する例について説明する。図７は、第三の実施の形態における画像形成装置の処理手順を説明するためのフローチャートである。
【００４３】
ステップＳ３１及びＳ３２における用紙詰まりの検知処理と、用紙詰まり通知画面の表示処理については、図５におけるステップＳ１１及びＳ１２と同様であるのでここでの説明は省略する。ステップＳ３３において、ユーザによる処置手順において、ユーザの手等が定着ユニット１３のデカル２０に近接すると、人体検知センサ１５３がＯＮ状態となり、その旨がＣＰＵ１１１に検知される。ＣＰＵ１１１が、警告音の出力をＣＰＵ１２１に指示すると、ＣＰＵ１２１は、ブザー１２７を鳴動させ、警告音を出力させる（Ｓ３４）。
【００４４】
なお、ステップＳ３３における、ユーザによる処置手順の実施の検知は、開閉センサ１５１によって行ってもよい。この場合は、本体左上カバー１４が引き出された際に警告音が出力されることとなる。
【００４５】
上述したように、第三の実施の形態における画像形成装置１０によれば、処置手順の実施に際し、その処置手順において操作対象とされているユニットに対する操作を検知し、その検知に応じてデカルの存在を通知する警告音を出力させることができるため、ユーザが、処置手順を実施する際に、デカルの存在に気付かずに操作をしたために陥る不具合、例えば、高温な箇所等、危険な箇所に触れてしまうといった危険な事態等の発生を低減させることができる。
【００４６】
次に、第四の実施の形態として、デカル情報の表示と警告音の出力とを組み合わせた例について説明する。図８は、第四の実施の形態における画像形成装置の処理手順を説明するためのフローチャートである。
【００４７】
ステップＳ４１及びＳ４２における用紙詰まりの検知処理と、用紙詰まり通知画面の表示処理については、図５におけるステップＳ１１及びＳ１２と同様であるのでここでの説明は省略する。
【００４８】
ステップＳ４３において、ユーザによって本体左上カバー１４が引き出されると、本体左上カバー１４の引き出し状態を検知する開閉センサ１５１がＯＮ状態となり、ＣＰＵ１１１は、その旨を検知する。ＣＰＵ１１１が、ＣＰＵ１２１に「本体左上カバー１４の引き出し状態」を通知すると、ＣＰＵ１２１は、ＬＣＤコントローラ１２４によって本体左上カバー１４の引き出し状態を通知する画面（引き出し状態通知画面）を生成してＬＣＤ１２６に表示させる（Ｓ４４）。
【００４９】
所定時間経過後、ＣＰＵ１１１が、定着ユニット１３のデカル２０の表示をＣＰＵ１２１に指示すると、ＣＰＵ１２１は、デカル２０に対応するデカル情報をＲＯＭ１２２より検索する（Ｓ４５）。ＣＰＵ１２１は、検索されたデカル情報等を用いてＬＣＤコントローラ１２４によってデカル表示画面を生成し、生成されたデカル表示画面をＬＣＤ１２６に表示させる（Ｓ４６）。デカル表示画面には、少なくともデカル２０に記載されている内容が表示されている。
【００５０】
更に、本体左上カバー１４があけられ、ユーザの手等が定着ユニット１３のデカル２０に近接すると、人体検知センサ１５３がＯＮ状態となり、その旨がＣＰＵ１１１に検知される（Ｓ４７）。ＣＰＵ１１１が、警告音の出力をＣＰＵ１２１に指示すると、ＣＰＵ１２１は、ブザー１２７を鳴動させ、警告音を出力させる（Ｓ４８）。
【００５１】
なお、ステップＳ４５及びＳ４６におけるデカル情報の検索及びデカル情報の表示は、第二の実施の形態と同様に、ＣＰＵ１１１によって排紙センサ１５２のＯＮ状態が検知された際、すなわち、定着ユニット１３における用紙詰まりが検知された際に行ってもよい。
【００５２】
また、ステップＳ４６において、対象となっているデカル（デカル２０）に記載されている内容ではなく、単に「デカルが存在します。」といった文字列を表示させるようにしても良いのは、第一及び第二の実施の形態と同様である。
【００５３】
上述したように、第四の実施の形態における画像形成装置１０は、処置手順の実施に際し、第一の段階として対象ユニットへの操作又は所定の事象の発生を検知することにより、デカルに記載された操作補助事項や注意事項を操作部等の表示装置に表示させる。その結果、ユーザが、デカルの存在に気づかずに操作をしたために陥る不具合を防止することが可能となる。
【００５４】
更に、画像形成装置１０は、第二の段階としてデカル近辺にユーザの手等が近接したことを検知することにより警告音を発することでユーザの注意を喚起する。したがって、ユーザが、デカルに記載された注意事項を怠った場合に遭遇する不具合に対する最終警告を必要なタイミングで行うことができる。その結果、更なるアプライアンスの向上を図ることが可能となる。
【００５５】
例えば、定着ユニット１３における用紙詰まりの事例に対して、画像形成装置１０は、第一の段階として、高温部である定着ユニット１３に触れようとする行為の前処理、又は定着ユニット１３における用紙詰まりの発生そのものの検知することにより、操作部等の表示装置に「高温注意」のデカル２０に記載されている内容を表示させる。その結果、ユーザが「高温注意」のデカルの存在に気づかずに定着ユニット１３における紙詰まりに対する処置を実施して、不用意に高温部である定着ユニット１３に触れてしまう危険を回避することが可能である。
【００５６】
更に、ユーザが万が一操作部等の表示装置に目を配らなかったとしても、画像形成装置１０は、第二の段階として、高温部である定着ユニット１３に触れようとする行為を検知することで、ユーザに警告を促すための警告音を発する。したがって、ユーザが「高温注意」のデカル２０の存在に気づかずに定着ユニット１３における紙詰まりに対する処置を実施して、不用意に高温部である定着ユニット１３に触れてしまう危険に対して、最終警告を必要なタイミングで実現することができ、更なるアプライアンスの向上を図ることが可能となる。
【００５７】
なお、本発明になる電子装置は画像形成装置に限定されず、ファクシミリ装置、印刷装置、複合装置、空調装置、自動販売機等の各種電子装置にも本発明が同様に適用可能であることは言うまでもなく、電子装置は携帯電話等の携帯型の電子装置であっても良い。要は、デカルとそのデカル情報を表示させる表示パネルとを有する電子装置であれば、本発明を適用可能である。携帯型の電子装置の場合、装置自体が小型であるため、デカル自体も小さくなってしまい、デカルの絵及び／又は文字が非常に小さくなってしまう。しかし、電池交換等の操作手順を携帯型の電子装置の表示パネルに表示することで、ユーザは必要な操作手順を誤認することなく把握することができる。
【００５８】
以上、本発明の好ましい実施例について詳述したが、本発明は係る特定の実施形態に限定されるものではなく、特許請求の範囲に記載された本発明の要旨の範囲内において、種々の変形・変更が可能である。
【図面の簡単な説明】
【００５９】
【図１】本発明の実施の形態における画像形成装置の概略図である。
【図２】定着ユニットに貼り付けられているデカルの例を示す図である。
【図３】本発明の実施の形態における画像形成装置の制御系ブロック図である。
【図４】定着ユニットにおける用紙詰まりに対する処置手順が記されたデカルの例を示す図である。
【図５】第一の実施の形態における画像形成装置の処理手順を説明するためのフローチャートである。
【図６】第二の実施の形態における画像形成装置の処理手順を説明するためのフローチャートである。
【図７】第三の実施の形態における画像形成装置の処理手順を説明するためのフローチャートである。
【図８】第四の実施の形態における画像形成装置の処理手順を説明するためのフローチャートである。
【符号の説明】
【００６０】
１０          画像形成装置
１１          制御部
１２          操作部
１３          定着ユニット
１４          本体左上カバー
１５          両面反転ユニット
１６          前ドア
２０、２０ａ、２０ｂ、２０ｃ、２１        デカル
１１１、１２１        ＣＰＵ
１１２、１２２        ＲＯＭ
１１３、１２３        ＲＡＭ
１２４        ＬＣＤコントローラ
１２５        ビデオメモリ
１２６        ＬＣＤ
１２７        ブザー
【図１】
2006091686.tif 000003
【図２】
2006091686.tif 000004
【図３】
2006091686.tif 000005
【図４】
2006091686.tif 000006
【図５】
2006091686.tif 000007
【図６】
2006091686.tif 000008
【図７】
2006091686.tif 000009
【図８】
2006091686.tif 000010